(57)【要約】【課題】内部に揮散性物質を収納し、吊り下げて使用する場合の他に載置しての使用に於いても収納物の効果を有効に発揮でき、また、必要のない場合には吊下部位を不都合に突出させずに収納しておくことができて、運搬，保管時には嵩張らない吊下式容器を提案する。【解決手段】容器本体２の前面開口ａを被覆して蓋体３を嵌着した起立可能な容器であって、前記蓋体の開口対応位置に揮散用の窓孔17を設けるとともに、該窓孔17を穿設した蓋板15上部に倒立状態のフック19を折り返し可能に画成した。【選択図】図２
2005239255.tif 000002
【特許請求の範囲】
【請求項１】
容器本体２の前面開口ａを被覆して蓋体３を嵌着した起立可能な容器であって、前記蓋体３の前記開口対応位置に揮散用の窓孔17を設けるとともに、該窓孔17を穿設した蓋板15上部に倒立状態のフック19を折り返し可能に画成したことを特徴とする吊下式容器。
【請求項２】
前記容器本体２は、前記開口ａ周縁より外方へ突設したフランジ５の下端縁と、前記開口ａ下端縁より後方へ下る底壁６の後端縁とで起立可能に構成し、前記蓋体３は、前記フランジ５外周に周縁部を嵌着し、前記容器本体２と蓋体３とで全体として起立可能に構成してなる請求項１記載の吊下式容器。
【請求項３】
前記容器本体２及び蓋体３をシート成形により形成してなる請求項１又は請求項２のいずれかに記載の吊下式容器。
【発明の詳細な説明】
【技術分野】
【０００１】
本発明は吊下式容器に関し、詳しくは、内部に芳香剤，防虫剤等の揮散性物質を収納するための吊下式容器に関する。
【背景技術】
【０００２】
箪笥等の収納具内に、そのハンガーロッドにフックを引っかけて吊り下げる防虫用の吊下式容器が知られている。（例えば、特許文献１参照）
【０００３】
この吊下式容器は、ヒンジを介して開閉可能に形成した扁平直方体形状のケース本体の上端にフック状のハンガーを立設して構成しており、ケース本体内に防虫剤等の揮散性剤を収納し、ケース本体に形成した窓孔より揮散させる如く構成している。
【特許文献１】特開平１１−１３００８１号公報
【発明の開示】
【発明が解決しようとする課題】
【０００４】
従来のこの種の吊下式容器は、例えばハンガーをハンガーロッドに引っ掛けるという簡単な操作でロッドに吊り下げることができ、また、交換の際はハンガーの係合を解除すれば簡単に取り外すことができるため、取り扱いが極めて容易であるという利点を有するものである。
【０００５】
しかしながら、ハンガーロッドなどの吊り下げるためのロッド形態のものが必要であり、使用範囲が限定される。また、ハンガーがケース本体上に一体に突設しているため、それだけ余分な空間を必要として嵩張り、運搬，保管等の際にはその効率が悪く、コストにも影響する。
【０００６】
本発明は上記した点に鑑みてなされたもので、従来品の様に吊り下げて使用することは勿論，載置しての使用においても収納物の効果を有効に発揮でき、また、必要のない場合には吊り下げ部位を不都合に突出させずに収納しておくことができて、運搬，保管時には嵩張らず、また、載置しての使用の場合には余分な突出部として引っ掛けて倒される等の不都合を極力回避できる等の種々の効果を発揮する吊下式容器を提案するものである。
【課題を解決するための手段】
【０００７】
本請求項１発明は上記課題を解決するため、容器本体２の前面開口ａを被覆して蓋体３を嵌着した起立可能な容器であって、前記蓋体３の前記開口対応位置に揮散用の窓孔17を設けるとともに、該窓孔17を穿設した蓋板15上部に倒立状態のフック19を折り返し可能に画成したことを特徴とする吊下式容器として構成した。
【０００８】
本請求項２発明は、前記容器本体２は、前記開口ａ周縁より外方へ突設したフランジ５の下端縁と、前記開口ａ下端縁より後方へ下る底壁６の後端縁とで起立可能に構成し、前記蓋体３は、前記フランジ５外周に周縁部を嵌着し、前記容器本体２と蓋体３とで全体として起立可能に構成してなる請求項１記載の吊下容器として構成した。
【０００９】
本請求項３発明は、前記容器本体２及び蓋体３をシート成形により形成してなる請求項１又は請求項２のいずれかに記載の吊下式容器として構成した。
【発明の効果】
【００１０】
本発明の吊下式容器は、フック19による吊り下げと、安定した載置とを必要に応じて選択でき、様々な種類の揮散性収納物を収納できて極めて汎用性に富み、また、載置しての使用の際にはフック19を突出しない状態で維持させておくことができるため、フック19を引っ掛けて容器を倒す等の不都合を防止できるとともに、使用前の運搬，保管等の際には嵩張らず能率良く行える利点がある。また、後方へ下る底壁を備えたものにあって、収納した揮散剤の露出しない部分が最後まで後部コーナー部に残り、最後まで安定した載置が可能となる。
【００１１】
また、容器本体２及び蓋体３をシート成形により形成してなるものにあっては、各容器本体２及び蓋体３がシート成形に適した形態をなし、大量に効率良く容器本体２及び蓋体３を安価に製造できる利点がある。
【発明を実施するための最良の形態】
【００１２】
以下、本発明の実施例の形態を図面を参照して説明する。
【００１３】
図１は本発明吊下式容器の一実施形態を示す斜視図、図２は縦断面図、図３は分解斜視図である。吊下式容器１は、容器本体２と、蓋体３とを備えている。
【００１４】
容器本体２は、箱型をなし、前面に開口ａを設けて起立可能に構成している。図示例では、前面に設けた開口ａ周縁より外方へ突設したフランジ５の下端縁と、前記開口ａ下端縁より後方へ下る底壁６の後端縁とで折り返し可能に支持したもので、より安定な状態を維持するためには、少なくとも前面を、上部が後方に位置する傾斜面に形成すると良い。また、前記した如く開口ａの底縁より底壁６を、また、両側縁より一対の側壁７，７を、上端縁より頂壁８を、それぞれ後方へ延設し、各底壁６，両側壁７，７，頂壁８の後端縁を周縁部とする後壁９を設けている。
【００１５】
容器本体２内の収納部には防虫剤，芳香剤等の揮散性物質を収納する。揮散性物質収納後に開口ａをシール材11によりシールする。シール材11は周縁部をフランジ５表面に剥離可能に固着して開口ａを閉塞し、開封前の揮散性物質の揮散を防止する如く構成している。シール材11は通気性のない材質で形成され、例えば、ガスバリアー性の合成樹脂、或いは合成樹脂と金属薄膜層との積層体等より形成されたものが使用でき、粘着剤等により剥離可能に固着している。また、シール材11のコーナーには取り外す際に摘むための突片12を一体に形成している。
【００１６】
蓋体３は、容器本体２の前面開口ａを被覆して嵌着し、容器本体２と蓋体３とで全体として起立可能に構成したもので、図示例では、前記開口ａを被覆する蓋板15の周縁部より延設した嵌合筒部16をフランジ５外周に嵌着して容器本体２に装着し、蓋板15には収納物を揮散する揮散用の窓孔17を開口している。この窓孔17を穿設した部分の蓋板15は周縁部を残して中央部が前方へ膨出した形態を採り、シール材11との間に空隙ができる如く構成している。蓋体３の嵌着に際しては、嵌合筒部16内周に突設した係合突条18をフランジ５裏面に乗り越え係合させてより安定した嵌着状態を維持している。
【００１７】
また、蓋体３の上記窓孔17上方の蓋板15上部に倒立した状態のフック19を上方への折り返しが可能に画成している。フック19は薄肉ヒンジ20を介して蓋板15に連結した状態で画成されており、この薄肉ヒンジ20部分で折り返せば蓋体３の上端より上方へ突出した状態となり、このフック19をハンガーロッド等に引っ掛けて吊り下げ可能に構成している。上記容器本体２及び蓋体３及びシール材11は公知のシート成形により形成することができる。
【００１８】
上記の如く構成した吊下式容器１は、図１の状態から蓋体３を外した後シール材11を取り除き再び蓋体３を嵌着することにより開封することができる。そして、載置して使用する場合にはそのままの状態で使用でき、また、吊り下げて使用する場合にはフック19を折り返して図４に示す如く起立させ、所定のロッド等に吊り下げ使用する。
【図面の簡単な説明】
【００１９】
【図１】本発明吊下式容器の斜視図である。（実施例１）
【図２】本発明吊下式容器の断面図である。（実施例１）
【図３】本発明吊下式容器の分解斜視図である。（実施例１）
【図４】本発明吊下式容器のフックを起立した状態の斜視図である。（実施例１）
【符号の説明】
【００２０】
２…容器本体、３…蓋体，５…フランジ，６…底壁，17…窓孔，19…フック，
ａ…開口
【図１】
2005239255.tif 000003
【図２】
2005239255.tif 000004
【図３】
2005239255.tif 000005
【図４】
2005239255.tif 000006